(57)【要約】【課題】本考案は、薬の使用方法や副作用のみならず、薬と、当該薬と併用する可能性のある薬剤・食品・サプリメントとの相互作用に係る情報が提示され、携帯が可能な薬情報カードを提供することを目的とする。【解決手段】本考案の薬カード１は、薬剤の相互作用の情報を提供する薬カード１であって、薬カード１の所定の位置に薬剤の相互作用に関する情報を表現した視覚表現要素１１ａ、１１ｂ、１１ｃ、１１ｄ、１２ａ、１２ｂ、１２ｃ、１２ｄを備え、視覚表現要素が、任意に抽出した２枚の薬カード１を全面又は一部を重ね合わせると生じる、一方の薬カードの視覚表現要素と他方の薬カードの視覚表現要素との組み合わせにより、薬剤と他の薬剤又は食品との相互作用の有無を表現する要素であることを特徴とする。【選択図】図１
0003179818.tif 000002
【実用新案登録請求の範囲】
【請求項１】
薬剤の相互作用の情報を提供する薬カードであって、
前記薬カードの所定の位置に前記薬剤の相互作用に関する情報を表現した視覚表現要素を備え、
前記視覚表現要素が、任意に抽出した２枚の前記薬カードを全面又は一部を重ね合わせると生じる、一方の前記薬カードの前記視覚表現要素と他方の前記薬カードの前記視覚表現要素との組み合わせにより、前記薬剤と他の薬剤又は食品との相互作用の有無を表現する要素であることを特徴とする薬カード。
【請求項２】
前記視覚表現要素は、記号、図形、文字、絵、数字、色彩、切欠きのいずれか又はこれらの組み合わせからなることを特徴とする請求項１に記載の薬カード。
【請求項３】
前記視覚表現要素は、前記薬カードの側縁部及び／又は端縁部に備えることを特徴とする請求項１又は２に記載の薬カード。
【請求項４】
前記視覚表現要素が前記切欠きであって、前記薬カードにおいて前記切欠きが設けられている位置が、前記相互作用がある薬剤に関する２枚の前記薬カードを重ね合わせたとき、前記切欠き同士が対応付けられる位置であることを特徴とする請求項２又は３に記載の薬カード。
【請求項５】
前記切欠きは、円弧、楔型、角形のいずれか又はこれらの組み合わせからなることを特徴とする請求項４に記載の薬カード。
【請求項６】
前記視覚表現要素は前記図形又は前記記号であって、前記薬カードにおいて前記図形又は前記記号が設けられている位置と方向が、前記相互作用がある薬剤に関する２枚の前記薬カードをずらせて重ね合わせたとき、２枚の前記薬カードに示される前記図形又は前記記号が互いに対向する位置と方向であることを特徴とする請求項２又は３に記載の薬カード。
【請求項７】
前記視覚表現要素は前記文字であって、前記薬カードにおいて前記文字が設けられている位置が、前記相互作用がある薬剤に関する２枚の前記薬カードをずらせて重ね合わせたとき、２枚の前記薬カードに示される前記文字が所定の対応関係を示す位置であることを特徴とする請求項２又は３に記載の薬カード。
【請求項８】
前記文字は漢字であることを特徴とする請求項７に記載の薬カード。
【請求項９】
前記視覚表現要素は前記図形であって、前記図形が、前記相互作用がある薬剤に関する２枚の前記薬カードをずらせて重ね合わせたとき、２枚の前記薬カードに示される２つの前記図形が所定の新たな図形を形成するものであることを特徴とする請求項２又は３に記載の薬カード。
【請求項１０】
前記薬カードは所定の位置に窓部を備え、前記窓部と前記視覚表現要素を設ける位置が、前記相互作用がある薬剤に関する２枚の前記薬カードを重ね合わせると、一方の前記窓部を介して、他方の前記視覚表現要素が現れる位置としたことを特徴とする請求項１ないし３のいずれか１項に記載の薬カード。
【請求項１１】
前記薬カードの少なくとも一部が透明又は半透明であって、２枚の前記薬カードを重ね合わせると、上側の前記薬カードの前記透明又は半透明にかかる箇所に下側の前記薬カードの前記視覚表現要素が位置するように配置されていることを特徴とする請求項１ないし３のいずれか１項に記載の薬カード。
【請求項１２】
前記薬カードの少なくとも一部が透明又は半透明であって、前記視覚表現要素が前記図形であり、前記図形が、前記相互作用がある薬剤に関する２枚の前記薬カードを重ね合わせたとき、２枚の前記薬カードに示される２つの前記図形が所定の新たな図形を形成するものであることを特徴とする請求項１ないし３のいずれか１項に記載の薬カード。
【請求項１３】
前記視覚表現要素が前記色彩の場合において、前記色彩は、前記薬カードの全面又は一部に着色されることを特徴とする請求項２ないし１２のいずれか１項に記載の薬カード。  
【考案の詳細な説明】
【技術分野】
【０００１】
本考案は、主にハイリスク薬と、当該薬と併用する可能性のある薬剤・食品・サプリメントとの相互作用に係る情報が提示された薬カードに関する。
【背景技術】
【０００２】
２種類以上の薬を同時に飲んだり、または薬と食品を同時に食べたりすると、薬物相互作用と呼ばれる現象が起こることがある。薬物相互作用により、薬が強く作用したり、また逆に薬の効果が弱まったりすることもあり、時には重篤な症状に陥ることもある。例えば、抗がん剤「５−ＦＵ」系と、帯状疱疹治療薬「ソリブジン」とを同時に摂取した結果、ソリブジンの代謝物が抗がん剤の５−ＦＵが肝臓で代謝されるのを妨げるため、抗がん剤の効果が極度に強く出た事例がある。また、高血圧患者用の血圧降下剤「カルシウム拮抗剤」とグレープフルーツジュースを同時に摂取すると、グレープフルーツジュースは小腸上皮細胞に存在し薬の代謝に関わっている酵素のはたらきを阻害する物質を含んでいるため、薬が小腸内で分解されることなく吸収されるため、その薬の効果を強めてしまうという副作用が出やすい。したがって、薬同士の飲み合わせや、薬と食品との飲み合わせについて、患者は、医師や薬剤師の指導・指示を受けることが必要である。また、薬学部生には、将来、患者に適切な指導・指示を行うために、薬同士の相互作用、薬と食品との相互作用についての知識習得が要求される。
【０００３】
従来、病院や薬局において処方箋に基づいて患者に薬剤が提供されるが、患者への充分かつ確実な服薬指導を簡単かつ迅速に行うことができる薬剤情報提供システムが開示されている（特許文献１及び特許文献２）。特許文献１においては、薬剤の外形カラー写真を含む電子化された薬剤情報についての記憶装置と、薬剤情報を出力するための印刷機と、記憶装置に記憶させてある薬剤情報のうち出力を要するものを選択するための入力装置と、前記各装置を制御するための中央処理装置とを有し、入力装置からの指令に基づき記憶装置に記憶させてある薬剤等の情報のうち必要なものを印刷機により出力させることで患者への充分かつ確実な服薬指導を簡単かつ迅速に行うことができるものである。特許文献２においては、特許文献１に開示された情報に加えて、処方された薬剤が服用した時にどのように作用するかの情報を患者に提供することができるシステムとなっている。
【０００４】
さらに、特許文献３には、複数の有効成分を持つ医薬品及びサプリメントの飲み合わせの情報を検索できるシステムが開示されている。本検索システムをサーバーからアクセスして起動すると、検索画面が表示され、検索部の入力欄に、サプリメントの商品名や薬剤商品名を入力して、飲み合わせ検索ボタンをクリックすると、サプリメントと医薬品との飲み合わせの情報を得ることができる。
【先行技術文献】
【特許文献】
【０００５】
【特許文献１】特開平９−３０７７２２号公報
【特許文献２】特開２００３−２２３５１１号公報
【特許文献３】特開２００５−２２２１５８号公報
【考案の概要】
【考案が解決しようとする課題】
【０００６】
しかし、従来の薬剤情報提供システムや飲み合わせ情報検索システムは以下の問題があった。
【０００７】
第１に、災害時や緊急時に、患者が薬手帳を紛失したり、電子カルテのような電子媒体が使用できなかったりすれば、当該患者が服用している薬剤に関する情報を、医師や薬剤師等の医療関係者が入手することができない。
【０００８】
第２に、薬剤の適正な使用を実現するため、薬剤とともに配布される薬剤情報に係る印刷物等について、患者はほとんど読むことがないという実態があることである。このような実態は、ハイリスク薬の場合、飲み合わせ等により薬の効果が増減しかねず、場合によっては患者の生命を危険に晒しうる。
【０００９】
上記問題点に鑑み、本考案は、薬の使用方法や副作用のみならず、薬と、当該薬と併用する可能性のある薬剤・食品・サプリメントとの相互作用に係る情報が提示され、携帯が可能な薬情報カードを提供することを目的とする。
【課題を解決するための手段】
【００１０】
上記目的を達成するため、本考案の薬カードは、薬剤の相互作用の情報を提供する薬カードであって、薬カードの所定の位置に薬剤の相互作用に関する情報を表現した視覚表現要素を備え、視覚表現要素が、任意に抽出した２枚の薬カードの全面又は一部を重ね合わせると生じる、一方の薬カードの視覚表現要素と他方の薬カードの視覚表現要素との組み合わせにより、薬剤と他の薬剤又は食品との相互作用の有無を表現する要素であることを特徴とする。なお、視覚表現要素は、記号、図形、文字、絵、数字、色彩、切欠きのいずれか又はこれらの組み合わせを使用することができ、薬カードの側縁部及び／又は端縁部に設けることができる。
【００１１】
視覚表現要素が切欠きである場合、薬カードにおいて切欠きが設けられている位置が、相互作用がある薬剤に関する２枚の薬カードを重ね合わせたとき、切欠き同士が対応付けられる位置であるようにしてよい。切欠きは、円弧、楔型、角形のいずれか又はこれらの組み合わせとすることができる。
【００１２】
また、視覚表現要素が図形又は記号である場合、薬カードにおいて図形又は記号が設けられている位置と方向が、相互作用がある薬剤に関する２枚の薬カードをずらせて重ね合わせたとき、２枚の薬カードに示される図形又は記号が互いに対向する位置と方向であるようにしてよい。
【００１３】
さらに、視覚表現要素が文字である場合、薬カードにおいて文字が設けられている位置が、相互作用がある薬剤に関する２枚の薬カードをずらせて重ね合わせたとき、２枚の薬カードに示される文字が所定の対応関係を示すようにしてよい。なお、文字は漢字を使用することができる。
【００１４】
なお、視覚表現要素が図形である場合、図形が、相互作用がある薬剤に関する２枚の薬カードをずらせて重ね合わせたとき、２枚の薬カードに示される２つの図形が所定の新たな図形を形成するようにしてもよい。また、薬カードは所定の位置に窓部を備え、窓部と視覚表現要素を設ける位置が、相互作用がある薬剤に関する２枚の薬カードを重ね合わせると、一方の窓部を介して、他方の視覚表現要素が現れる位置になるようにしてもよい。
【００１５】
さらに、薬カードの少なくとも一部を透明又は半透明にして、２枚の薬カードを重ね合わせると、上側の薬カードの透明又は半透明にかかる箇所に下側の薬カードの視覚表現要素が位置するように配置されるようにしてもよい。視覚表現要素が図形である場合、図形が、相互作用がある薬剤に関する２枚の薬カードを重ね合わせたとき、２枚の薬カードに示される２つの図形が所定の新たな図形を形成するようにしてもよい。またさらに、視覚表現要素が色彩の場合において、色彩は、薬カードの全面又は一部に着色されるようにすることもできる。  
【考案の効果】
【００１６】
本考案に係る薬カードによれば、薬剤の相互作用の可視化が可能になり、特にハイリスク薬を服用する患者は災害時や停電時においても、飲み合わせや食べ合わせによる生命の危険から解放されうる。また、カードの携帯も可能である。さらに、本考案に係る薬カードによれば、カード製作にあたって、電子的な処置が不要で簡易に製作することが可能であり、コストを低減することができる。
【図面の簡単な説明】
【００１７】
【図１】本考案の実施例１の薬カード１の視覚構成要素の構成例を簡単に示した図である。
【図２】本考案の実施例１の薬カード１の視覚構成要素の配置例を示す図である。
【図３】本考案の実施例１の薬カード１同士の使用例を示す図である。
【図４】本考案の実施例１の薬カード１Ａと食品カード１Ａ’の使用例を示す図である。
【図５】本考案の実施例２の薬カード２の視覚構成要素の構成例を簡単に示した図である。
【図６】本考案の実施例２の薬カード２の視覚構成要素の配置例を示す図である。
【図７】本考案の実施例２の薬カード２同士の使用例を示す図である。
【図８】本考案の実施例２の変形例を示す図である。
【図９】本考案の実施例２の別の変形例を示す図である。
【図１０】本考案の実施例２のさらに別の変形例を示す図である。
【図１１】本考案の実施例２のまたさらに別の変形例を示す図である。
【図１２】本考案の実施例３の薬カード３の視覚構成要素の構成例について、配置例を示す図である。
【図１３】本考案の実施例３の薬カード３Ａと食品カード３Ａ’の使用例を示す図である。
【考案を実施するための形態】
【００１８】
以下、本考案の実施の形態を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施の形態に限定されるものではない。
【実施例１】
【００１９】
実施例１を図面を参照して詳細に説明する。
【００２０】
図１は、本考案の実施例１の薬カード１の視覚構成要素について構成例を簡単に示した図である。実施例１においては、視覚構成要素のうち、切欠きを採用している。
【００２１】
図１に示すとおり、薬カード１は略矩形であって、情報表示部１０と、看者から見て左右側縁に一又は複数の視覚表現要素１１ａ、１１ｂ、１１ｃ、１１ｄ、１２ａ、１２ｂ、１２ｃ、１２ｄと、カード合わせ部１３とを備える。
【００２２】
情報表示部１０は、薬剤や食品が有する情報で、薬剤の名称、化学式、写真、絵、特徴、効能、留意点、副作用等が記載されてよい。薬剤のワルファリンカリウムを例にとると、「主にＣＹＰ２Ｃ９で代謝されるＳ体の抗凝固作用が強い」、「肝代謝型薬物やタンパク結合率が高い薬物等との併用に注意」、「ビタミンＫに拮抗」、「副作用として、出血傾向、過敏症、脱毛」、「血液凝固能検査の実施要」、「相互作用の懸念食品として、納豆、クロレラ、青汁等」などの記載をすることができる。
【００２３】
次に視覚表現要素１１ａ、１１ｂ、１１ｃ、１１ｄ、１２ａ、１２ｂ、１２ｃ、１２ｄを説明する。図１においては、看者から見て左右側縁に８か所の視覚表現要素を配置しているが、例示的に示されるもので、上下端縁にあってもよいし、視覚表現要素の数も任意に設けることができる。また、視覚表現要素の切欠きは、略円弧で示されているが、角形や楔形で切り欠けられてもよいし、これらが任意に組み合わされてもよい。
【００２４】
視覚表現要素は、所定のルールにより配置される。例えば、薬剤の相互作用の種類にしたがって、視覚表現要素を配置するとする。図１において、看者から見てカード１の右側部を参照する。右側部には視覚表現要素１１ａ、１１ｂ、１１ｃ、１１ｄが配置されている。まず、視覚表現要素１１ａが配置されている薬カードは、酵素ＣＹＰ１Ａ２に何らかの影響を受ける又は与える薬剤を示すことになる。視覚表現要素１１ｂが配置される薬カードは酵素ＣＹＰ２Ｃ８、９、１８、１９のいずれかに、視覚表現要素１１ｃはＣＹＰ２Ｄ６に、視覚表現要素１１ｄはＣＹＰ３Ａ４に何らかの影響を受ける又は与える薬剤であることを示す。次に、看者から見て左側部を参照する。左側部には視覚表現要素１２ａ、１２ｂ、１２ｃ、１２ｄが配置されている。まず、視覚表現要素１２ａが配置されている薬カード１はアルブミンＡｌｂにより血中の薬物濃度が影響されることを示す。ほかの視覚表現要素１２ｂ、１２ｃ、１２ｄが配置されている薬カード１は任意の他のタンパク質や酵素との相互作用を示すこととするものである。なお、薬カード１の各視覚表現要素近傍に、各視覚表現要素が意味する代謝酵素、血中タンパク質、腎臓等の一般的な略称を記載すると、患者のみならず医師や薬剤師等にとって使用しやすく好適である。
【００２５】
実施例１において、薬カード１には表と裏がある。情報表示部を表及び／又は裏に記載できるようにして、情報データを表と裏の一方又は双方に記載してよいが、上述した視覚表現要素は表側に配置されている。むろん、裏側に配置されてもよいことは言うまでもない。図１に示すとおり、薬カード１は略矩形であるため、２枚のカードを重ね合わせる場合、天地ならびに表裏を明確にすることが必要となる。そこで、実施例１において、図１に示すとおり、カード合わせ部１３は薬カード１の左上角が切り取られ構成されている。したがって、２枚の薬カード１を重ね合わせるときにカード合わせ部１３で角合わせをして調整することが可能である。なお、カード合わせ部１３は薬カード１の任意の位置にあればよく、左上角に限定されることはない。また、パンチ孔が薬カード１の任意の位置に配置され、パンチ孔と薬カード１の任意の隅を角合わせするように構成されてもよい。
【００２６】
次に、図２を参照して、薬カード１の使用方法を示す。図２（ａ）、（ｂ）、（ｃ）は、それぞれ３枚の薬カード１Ａ、１Ｂ、１Ｃを示す。図２において、各薬カード１は、薬カード１Ａがワルファリンカリウム、薬カード１Ｂがオメプラゾール、薬カード１Ｃがイブプロフェンを示している。薬カード１Ａは、視覚表現要素１１ｂ、１２ａ、１２ｄを備える。薬カード１Ｂは、視覚表現要素１１ｂを備える。薬カード１Ｃは、視覚表現要素１２ａを備える。ワルファリンカリウムは、ビタミンＫの働きを抑えて血液を固まりにくくし、血管の中に血栓ができるのを防ぐ薬剤である。通常、血栓塞栓症（静脈血栓症、心筋梗塞症、肺塞栓症、脳塞栓症、緩徐に進行する脳血栓症など）の治療や予防に用いられる。オメプラゾールは、胃酸分泌の最終過程であるプロトンポンプに作用し、胃酸分泌を抑制する薬剤である。通常、胃潰瘍、十二指腸潰瘍、吻合部潰瘍、逆流性食道炎、Zollinger-Ellison症候群の治療に用いられる。また、胃潰瘍、十二指腸潰瘍、胃マルトリンパ腫、特発性血小板減少性紫斑病、早期胃癌に対する内視鏡的治療後胃におけるヘリコバクター・ピロリの除菌療法に、他の2種の抗菌剤と一緒に用いられる。イブプロフェンは、最も良く使われる代表的な鎮痛剤の一種であり、風邪などの症状を和らげる解熱・鎮痛の作用を有する薬剤である。効果を発揮する炎症性疾患には、神経痛・神経炎・慢性関節リウマチ・腰痛・頸肩腕症候群・月経困難症・外傷後や手術後の炎症・風邪の解熱鎮痛などがある。このように、３枚の薬カード１Ａ、１Ｂ、１Ｃが示す薬剤はそれぞれ異なる効能を有するものの、それぞれの情報だけでは薬の相互作用を知ることはできない。そこで、３枚のうち、任意の２枚を重ね合わせてみる。
【００２７】
図３は、任意の２枚の薬カードを重ね合わせた図である。図３（ａ）は薬カード１Ａと１Ｂ、（ｂ）は薬カード１Ａと１Ｃ、（ｃ）は薬カード１Ｂと１Ｃを重ね合わせた状態を示している。
【００２８】
まず、図３（ａ）を参照する。薬カード１Ａと薬カード１Ｂを重ね合わせると、重ね合わされた薬カード１Ａ、１Ｂの右側部に視覚表現要素１１ｂのみが見て取れる。つまり、薬カード１Ａと薬カード１Ｂは、視覚表現要素１１ｂが意味する酵素ＣＹＰ２Ｃ９について、相互作用を有し、両者を飲み合わせることには注意を要することがわかる。
【００２９】
次に、図３（ｂ）を参照する。薬カード１Ａと薬カード１Ｃを重ね合わせると、重ね合わされた薬カード１Ａ、１Ｃの左側部に視覚表現要素１２ａのみが見て取れる。つまり、薬カード１Ａと薬カード１Ｃは、視覚表現要素１２ａが意味するアルブミンＡｌｂについて、相互作用を有し、両者を飲み合わせることには注意を要することがわかる。詳細には、薬物の血中濃度が相互に影響されることを示す。
【００３０】
同様に、図３（ｃ）を参照する。薬カード１Ｂと薬カード１Ｃを重ね合わせると、重ね合わされた薬カード１Ｂ、１Ｃには切欠きはなく、視覚表現要素を見て取ることはできない。つまり、薬カード１Ｂ、１Ｃに係る薬剤は何ら相互作用を有さないことを示している。
【００３１】
以上のとおり、薬カード１において、視覚表現要素を切欠きとすることにより、二種の薬カード１の相互作用を視認できることを説明した。次に、薬と食品の相互作用について、図４を参照しながら説明する。
【００３２】
図４は、本考案の実施例１の薬カード１Ａと食品カード１Ａ’の使用例を示す図である。図４（ａ）は、１Ａ’の構成例を示し、（ｂ）は食品カード１Ａ’に前述した薬カード１Ａを重なり合わせた状態を示している。
【００３３】
ここでは、食品カード１Ａ’に係る食品を納豆とする。図４（ａ）を参照すると、食品カード１Ａ’は、左側部に視覚表現要素１２ｄを備えている。次に、図４（ｂ）を参照する。前述したとおり、薬カード１Ａに係る薬剤はワルファリンカリウムである。薬カード１Ａと食品カード１Ａ’を重ね合わせると、重ね合わされた薬カード１Ａと食品カード１Ａ’の左側部に視覚表現要素１２ｄのみが見て取れる。つまり、薬カード１Ａと食品カード１Ａ’は、視覚表現要素１２ｄが意味する、ここではビタミンＫについて、相互作用を有し、両者を飲み合わせることには注意を要することがわかる。納豆には多くのビタミンＫが含まれているが、ビタミンＫは血液が固まるときに重要な働きをする。このビタミンＫの働きを阻害し血液を固まりにくくするのが抗血栓薬のワルファリンカリウムということが視認できるのである。
【００３４】
なお、薬カード１Ａと食品カード１Ａ’との識別性を高めるため、カード本体の色彩を異なるようにしてもよい。
【実施例２】
【００３５】
実施例２を図面を参照して詳細に説明する。なお、実施例１と同様の内容については、詳細な説明を省略する。
【００３６】
図５は、本考案の実施例２の薬カード２の視覚構成要素について構成例を簡単に示した図である。実施例２においては、視覚構成要素のうち、記号、特にくさび記号を採用している。図５に示すとおり、薬カード２は略矩形であって、情報表示部２０と、看者から見て左右側縁に一又は複数の視覚表現要素２１ａ’、２１ｂ’、２１ｃ、２１ｄ’、２２ａ、２２ｂ、２２ｃ’、２２ｄとを備える。
【００３７】
情報表示部２０は、実施例１に係る情報表示部１０と同様に、薬剤や食品が有する情報で、薬剤の名称、化学式、写真、絵、特徴、効能、留意点、副作用等が記載されてよい。
【００３８】
次に視覚表現要素２１ａ’、２１ｂ’、２１ｃ、２１ｄ’、２２ａ、２２ｂ、２２ｃ’、２２ｄを説明する。図５においては、視覚表現要素は、看者から見て左右側縁に８か所の視覚表現要素を配置しているが、例示的に示されるもので、上下端縁にあってもよいし、視覚表現要素の数も任意に設けることができる。また、くさび記号は例示的なものであり、左右非対称の記号であればよく、例えば矢印、横置きのハートマークであってもよい。さらに、くさび記号の代わりに、左右非対称となる文字や絵又は図形で表示してもよいし、これらを任意に組み合わせてもよい。
【００３９】
くさび記号も、実施例１に係る視覚表現要素と同様に、所定のルールにより配置される。例えば、薬剤の相互作用の種類にしたがって、くさび記号を配置することができる。図５において、看者から見てカード２の右側部を参照する。右側部には視覚表現要素２１ａ’、２１ｂ’、２１ｃ、２１ｄ’が配置されている。看者から見て左側部には視覚表現要素２２ａ、２２ｂ、２２ｃ’、２２ｄが配置されている。くさび記号の配置が意味するところは、実施例１に係る視覚表現要素の配置と同様であるので、詳細な説明は省略する。実施例２に係る薬カード２が実施例１に係る薬カード１と異なる点は、視覚表現要素に左右対称の記号が付与されうるということである。図５を参照すると、視覚表現要素のうち、２１ｃ、２２ａ、２２ｂ、２２ｄは薬カード２の外方向を指し、２１ａ’、２１ｂ’、２１ｄ’、２２ｃ’は薬カード２の内方向を指す記号となっている。向きの違いは、外側の場合、くさび記号に係る酵素やタンパク質などについて、当該薬剤が何らかの影響を与えることを意味し、内側の場合、当該薬剤が何らかの影響を受けることを意味する。
【００４０】
実施例２においても、薬カード２には表と裏がある。図５には示していないが、実施例１と同様に、カード合わせ部が薬カード２の左上角が切り取られ構成されてもよい。したがって、２枚の薬カード２を重ね合わせるときに角合わせにカード合わせ部を利用することもできる。
【００４１】
次に、図６及び７を参照して、薬カード２の使用方法を示す。まず、図６には、３枚の薬カード２Ａ、２Ｂ、２Ｃが示されている。図６において、各薬カード２は、薬カード２Ａがワルファリンカリウム、薬カード２Ｂがオメプラゾール、薬カード２Ｃがイブプロフェンを示している。薬カード２Ａは、視覚表現要素２１ｂ’、２２ａ’、２２ｄ’を備える。薬カード２Ｂは、視覚表現要素２１ｂを備える。薬カード２Ｃは、視覚表現要素２２ａを備える。３枚の薬カード２Ａ、２Ｂ、２Ｃが示す薬剤はそれぞれ異なる効能を有するものの、それぞれの情報だけでは薬の相互作用を知ることはできない。そこで、３枚のうち、任意の２枚を重ね合わせてみる。これら薬剤の情報については、実施例１において説明したので、ここでは省略する。
【００４２】
図７を参照する。図７（ａ）は薬カード２Ａと２Ｂ、（ｂ）は薬カード２Ａと２Ｃを重ね合わせた状態を示している。
【００４３】
まず、図７（ａ）を参照する。まず、薬カード２Ａと薬カード２Ｂを重ね合わせるが、このとき２枚の薬カード２Ａと２Ｂを少しずらせて、左右側に配置されたくさび記号の向きが対向するように重ね合わせる。図７（ａ）の場合、薬カード２Ａの上に、薬カード２Ｂを重ねて左方向に摺動させる。そうすると、重ね合わされた薬カード２Ａの内側向きのくさび記号、すなわち視覚表現要素２１ｂ’と、２Ｂの外側向きのくさび記号、すなわち視覚表現要素２１ｂとが対向している状態が見て取れる。つまり、薬カード２Ａと薬カード２Ｂは、配置された視覚表現要素２１ｂ’、２１ｂが意味する酵素ＣＹＰ２Ｃ９について、相互作用を有し、両者を飲み合わせることには注意を要することがわかる。
【００４４】
次に、図７（ｂ）を参照する。図７（ａ）と同様に、薬カード２Ａと薬カード２Ｃを重ね合わせるが、このとき２枚の薬カード２Ａと２Ｃを少しずらせて、左右側に配置されたくさび記号の向きが対向するように重ね合わせる。図７（ｂ）の場合、薬カード２Ａの上に、薬カード２Ｃを重ねて右方向に摺動させる。そうすると、重ね合わされた薬カード２Ａの内側向きのくさび記号、すなわち視覚表現要素２２ａ’と、２Ｃの外側向きのくさび記号、すなわち視覚表現要素２２ａとが対向している状態が見て取れる。つまり、薬カード２Ａと薬カード２Ｃは、視覚表現要素２２ａ’、２２ａが意味するアルブミンＡｌｂについて、相互作用を有し、両者を飲み合わせることには注意を要することがわかる。薬物の血中濃度が相互に影響されることを示している。
【００４５】
図に示していないが、薬カード２Ｂと薬カード２Ｃの重ね合わせについては、図６を見れば、両者に共通の視覚表現要素の配置場所はない。つまり、両者は何ら相互作用を有さないことがわかる。
【００４６】
図８を参照する。図８は、実施例２の変形例を示している。なお、図８において、視覚表現要素として、くさび記号を用いているが、説明を簡略化するため、薬カード１枚に一つのくさび記号のみを記載していることに留意されたい。
【００４７】
図８（ａ）を参照すると、薬カード２Ａ’、２Ｂ’が示されている。薬カード２Ａ’には左上隅に視覚表現要素２２ａが、薬カード２Ｂ’には左上隅に視覚表現要素２２ａ’が、図５に係る薬カード２よりも縁部からやや内側に配置されている。視覚表現要素２２ａは薬カード２Ａ’の外方向を向いている。他方、視覚表現要素２２ａ’は薬カード２Ｂ’の内方向を向いている。薬カード２Ａ’、２Ｂ’は、看者から見ての上辺から視覚表現要素２２ａ、２２ａ’の頂点が接するように、カードの側辺に対して平行に破線２４、２４’を設けている。そして、視覚表現要素２２ａ、２２ａ’は破線２４、２４’を軸にして線対称の位置に窓部２３、２３’を設けている。窓部２３、２３’は単に切り取られていればよく、図８においては、略矩形に切り取られているが、略円形や略楕円形に切り取られていてもよい。
【００４８】
図８（ｂ）を参照する。薬カード２Ａ’を薬カード２Ｂ’に重ね合わせると、重ね合わされた薬カード２Ａ’の窓部２３を介して、薬カード２Ｂ’の視覚表現要素２２ａ’が見て取れる。そうすると、図７の場合と同様に、重ね合わされた薬カード２Ａ’の外側向きの視覚表現要素２２ａと、薬カード２Ｂ’の内側向きの視覚表現要素２２ａ’が対向している状態となっていることから、薬カード２Ａ’、２Ｂ’に係る各薬剤は相互作用を有し、両者を飲み合わせることには注意を要することがわかる。
【００４９】
図９を参照する。図９は、実施例２の別の変形例に係る薬カード２Ａ’’、２Ｂ’’の構成例と使用例を示す。なお、図９においても、図８と同様に視覚表現要素として、くさび記号を用いているが、説明を簡略化するため、薬カード１枚に一つのくさび記号のみを記載していることに留意されたい。図９が、図８と異なるところは、図９（ａ）に示すとおり、薬カード２Ａ’’、２Ｂ’’ には窓部がなく、カード本体の少なくとも一部が透明又は半透明であるという点である。
【００５０】
図９（ｂ）を参照する。薬カード２Ａ’’を薬カード２Ｂ’’に重ね合わせると、薬カード２Ａ’’、２Ｂ’’のカード本体の少なくとも一部、すなわちくさび記号が配置されている位置が透明又は半透明であれば、重ね合わされた薬カード２Ａ’’を透かして、薬カード２Ｂ’’の視覚表現要素２２ａ’が見て取れる。そうすると、図７及び図８の場合と同様に、重ね合わされた薬カード２Ａ’’の外側向きの視覚表現要素２２ａと、薬カード２Ｂ’’の内側向きの視覚表現要素２２ａ’が対向している状態が視認でき、薬カード２Ａ’’、２Ｂ’’に係る各薬剤は相互作用を有し、両者を飲み合わせることには注意を要することがわかる。
【００５１】
図１０を参照する。図１０は、実施例２のさらに別の変形例に係る薬カードの使用例を示す。図１０（ａ）は薬カード２ＡＡと２ＢＢ、（ｂ）は薬カード２ＡＡ’と２ＢＢ’を少しずらせて重ね合わせた状態を示している。図１０（ａ）、（ｂ）に係る視覚表現要素２２０ａ、２２０ａ’、２２１ａ、２２１ａ’は、図形である。
【００５２】
まず、図１０（ａ）を参照する。まず、薬カード２ＡＡと薬カード２ＢＢを少しずらせて重ね合わせる。そうすると、図１０（ａ）に示すとおり、どちらを上に重ねるかによって、同一配置にある図形の向きが異なる。すなわち、どちらの薬剤がどちらの薬剤に相互作用を与えるのかが不明確になる。そこで、異なる図形、すなわち、相互作用を他方の薬剤に与えることを意味する図形と、相互作用を受けることを意味する図形を視覚表現要素に選択する。図１０（ａ）においては、視覚表現要素２２０ａを他方の薬剤に相互作用を与える図形とし、相互作用を受ける視覚表現要素を２２０ａ’で示している。したがって、２つの図形の並び方の如何にかかわらず、薬カード２ＡＡと薬カード２ＢＢは、配置された視覚表現要素２２０ａ、２２０ａ’が並列することで、相互作用を有し、両者を飲み合わせることには注意を要することがわかる。
【００５３】
次に、図１０（ｂ）を参照する。図１０（ａ）と異なる点は、視覚表現要素２２０ａ、２２０ａ’が視覚表現要素２２１ａ、２２１ａ’となっていることである。したがって、詳細の説明は省略する。上述と同様、２つの図形の並び方の如何にかかわらず、薬カード２ＡＡ’と薬カード２ＢＢ’は、配置された視覚表現要素２２１ａ、２２１ａ’が並列することで、相互作用を有し、両者を飲み合わせることには注意を要することがわかる。
【００５４】
図１１を参照する。図１１は、実施例２のまたさらに別の変形例に係る薬カード２Ａ’Ａ’、２Ｂ’Ｂ’の構成例と使用例を示す。なお、図１１において、図１０における図形を用いているが、説明を簡略化するため、薬カード１枚に２種類の図形を同時に記載していることに留意されたい。なお、図１１においては、カード本体の少なくとも一部が透明又は半透明である。
【００５５】
図１１（ａ）を参照すると、薬カード２Ａ’Ａ’、２Ｂ’Ｂ’が示されている。薬カード２Ａ’Ａ’には左上隅に視覚表現要素２２０ａ、左下角に視覚表現要素２２１ｄが、薬カード２Ｂ’Ｂ’には左上隅に視覚表現要素２２０ａ’、左下角に視覚表現要素２２１ｄ’が配置されている。薬カード２Ａ’Ａ’、２Ｂ’Ｂ’は、それぞれ看者から見て上辺から視覚表現要素２２０ａ、２２０ａ’、視覚表現要素２２１ｄ、２２１ｄ’の中央を通るように、カードの側辺に対して平行に破線２４０、２４０’を設けている。
【００５６】
図１１（ｂ）を参照する。薬カード２Ａ’Ａ’を薬カード、２Ｂ’Ｂ’に重ね合わせると、薬カード２Ａ’Ａ’、２Ｂ’Ｂ’のカード本体の少なくとも一部、すなわち視覚表現要素が配置されている位置が透明又は半透明であれば、重ね合わされた薬カード２Ａ’Ａ’を透かして、薬カード２Ｂ’Ｂ’の視覚表現要素２２０ａ、２２０ａ’、視覚表現要素２２１ｄ、２２１ｄ’がそれぞれ重なり合って新たな図形２２０、２２１が現れることになる。そうすると、薬カード２Ａ’Ａ’、２Ｂ’Ｂ’に係る各薬剤は相互作用を有し、両者を飲み合わせることには注意を要することがわかる。なお、カード本体の少なくとも一部、すなわち視覚表現要素が配置されている位置が透明または半透明とする場合、視覚表現要素を光透過性の色彩にして、薬カードを重ね合わせたとき、重なり合った視覚表現要素が新たな色彩が現れると、２枚の薬カードに係る各薬剤は相互作用を有するようにしてもよい。
【実施例３】
【００５７】
実施例３を図面を参照して詳細に説明する。なお、実施例１及び２と同様の内容については、詳細な説明を省略する。
【００５８】
実施例３においては、視覚構成要素のうち、文字、特に漢字を採用している。図１２は、本考案の実施例３の薬カード３の視覚構成要素について構成例を簡単に示した図であり、例として、図１２（ａ）は、薬剤ワルファリンカリウムに係る薬カード３Ａの表と裏を、図１２（ｂ）は、食品セント・ジョーンズ・ワートに係る食品カード３Ａ’の表と裏を示している。
【００５９】
図１２（ａ）を参照する。薬カード３Ａは略矩形であって、表側において、情報表示部３０と、看者から見て右側上縁の所定の位置に視覚構成要素３１ｂ’、３１ｃ’、３１ｄ’とを備える。図１２（ａ）に示すとおり、看者から見て、薬カード３Ａの上縁には薬剤の名称、ここでは「ワルファリンカリウム」が示されている。名称の下の欄は情報表示部３０であって、化学記号や、効果、機能、特記事項、副作用、類似薬剤等を記載することができる。なお、図１２（ａ）の薬カード３Ａの裏に示すとおり、カードの裏側に当該薬剤の情報が表示されてもよい。さらに、看者から見て、薬カード３Ａの上右縁部には、視覚構成要素３１ｂ’、３１ｃ’は「代」、３１ｄ’は「結」の漢字の略称がそれぞれ示されている。漢字の略称の意味及びその解釈については、後述する表１を参照されたい。なお、薬カード３Ａにおいては、視覚構成要素３１ｂ’、３１ｃ’、３１ｄ’の左側にそれぞれ２Ｃ９、３Ａ４、Ａｌｂが記載されているが、実施例１に示したと同様、記号２Ｃ９、３Ａ４は酵素、Ａｌｂは、タンパク質であるアルブミンを意味する。
【００６０】
図１２（ｂ）を参照する。薬カード３Ａと同様に食品カード３Ａ’は略矩形であって、表側において、情報表示部３０’と、看者から見て右側上縁の所定の位置に視覚構成要素３１ａ、３１ｂ、３１ｃとを備える。図１２（ｂ）に示すとおり、看者から見て、薬カード３Ａ’の上縁には食品の名称、ここでは「セント・ジョーンズ・ワート」が示されている。名称の下の欄は情報表示部３０’であって、情報等を記載することができる。なお、図１２（ａ）と同様に、カードの裏側に当該食品の情報が表示されてもよい。さらに、看者から見て、食品カード３Ａ’の上右縁部には、視覚構成要素３１ａ、３１ｂ、３１ｃとして「誘」の漢字の略称がそれぞれ示されている。なお、食品カード３Ａ’においては、視覚構成要素３１ａ、３１ｂ、３１ｃの左側にそれぞれ１Ａ２、２Ｃ９、３Ａ４が記載されているが、これらの記号は各視覚構成要素を意味している。前述したとおり、記号１Ａ２、２Ｃ９、３Ａ４は酵素を意味する。
【００６１】
図１３を参照する。図１３は、本考案の実施例３の薬カード３Ａと食品カード３Ａ’の使用例を示す図である。まず、薬カード３Ａと食品カード３Ａ’を重ね合わせるが、２枚のカード右側にある視覚構成要素３１ｂ’、３１ｃ’、３１ｄ’、３１ａ、３１ｂ、３１ｃが視認できる程度にずらせて重ね合わせる。図１３の場合、薬カード３Ａの上に食品カード３Ａ’を重ねて左方向に摺動させる。そうすると、重ね合わされた２枚のカード３Ａ、３Ａ’の視覚構成要素のうち、左右にＣＹＰ２Ｃ９、ＣＹＰ３Ａ４が並んでいることが見て取れる。すなわち、酵素ＣＹＰ２Ｃ９、ＣＹＰ３Ａ４に係る各視覚構成要素３１ｂと３１ｂ’、３１ｃと３１ｃ’がいずれも代謝を意味する「代」と、誘導を意味する「誘」で並置している状態が見て取れる。つまり、薬カード３Ａと食品カード３Ａ’は、酵素ＣＹＰ２Ｃ９及び酵素ＣＹＰ３Ａ４について、相互作用を有し、両者を飲み合わせることには注意を要することがわかるのである。さらに詳細に説明すると、薬剤「ワルファリンカリウム」は酵素ＣＹＰ２Ｃ９により代謝され、食品「セント・ジョーンズ・ワート」は酵素ＣＹＰ２Ｃ９を誘導する、すなわち、酵素ＣＹＰ２Ｃ９の量を増やす。その結果、薬剤「ワルファリンカリウム」の血中濃度が低下することになるので、薬剤「ワルファリンカリウム」の効能が弱められることになるのである。酵素ＣＹＰ３Ａ４についても解釈は同様であり、詳細は省略する。
【００６２】
本考案の実施例３に係る視覚構成要素である漢字の省略形の表記ならびに解釈については、下記の表１を参照されたい。なお、下記表の表記ならびに解釈は例示的なものであり、限定されるものではなく、所望の表記ならびに解釈を適用することができる。
（表１）
0003179818.tif 000003
【００６３】
以上、本考案の薬カードの構成例における好ましい実施形態を図示して説明してきたが、本考案の技術的範囲を逸脱することなく種々の変更が可能であることは理解されるであろう。
【産業上の利用可能性】
【００６４】
本考案の薬カードは、薬の知識がない人でも容易に薬剤同士又は薬剤と食品の相互作用を視認することができるツールであり、特に災害時や緊急時には電子機器の代替ツールとして広く適用することができる。また、薬カードにおける視覚表現要素の配置を特定するために使用される代謝酵素、血中タンパク質、腎臓等の一般的な略称を世界標準である記号として使用すれば、海外への携帯により外国滞在中の緊急時に使用することも可能であり広く適用することができる。さらに、視覚表現要素である記号、図形、文字、絵、数字、色彩、切欠きは、日本国に限らず、世界共通に視認することも可能であることから、情報表示部に他言語で薬等の情報データを記載することで広く適用することができる。また、薬学の教育ツールとして適用することもできる。
【符号の説明】
【００６５】
１、２、３  薬カード
１Ａ、１Ｂ、１Ｃ、２Ａ、２Ｂ、２Ｃ、３Ａ  薬カード
２Ａ’、２Ｂ’、２Ａ’’、２Ｂ’’  薬カード
２ＡＡ、２ＢＢ、２ＡＡ’、２ＢＢ’  薬カード
２Ａ’Ａ’、２Ｂ’Ｂ  ’薬カード
１Ａ’、３Ａ’  食品カード
１０、２０、３０、３０’  情報表示部
１１ａ、１１ｂ、１１ｃ、１１ｄ  視覚構成要素
１２ａ、１２ｂ、１２ｃ、１２ｄ  視覚構成要素
２１ａ’、２１ｂ’、２１ｃ、２１ｄ’  視覚構成要素
２２ａ、２２ｂ、２２ｃ’、２２ｄ  視覚構成要素
２２０ａ、２２０ａ’  視覚構成要素
２２１ａ、２２１ａ’  視覚構成要素
２２１ｄ、２２１ｄ’  視覚構成要素
３１ａ、３１ｂ、３１ｃ  視覚構成要素
３１ｂ’、３１ｃ’、３１ｄ’  視覚構成要素
１３  カード合わせ部
２３、２３’  窓部
【図１】
0003179818.tif 000004
【図２】
0003179818.tif 000005
【図３】
0003179818.tif 000006
【図４】
0003179818.tif 000007
【図５】
0003179818.tif 000008
【図６】
0003179818.tif 000009
【図７】
0003179818.tif 000010
【図８】
0003179818.tif 000011
【図９】
0003179818.tif 000012
【図１０】
0003179818.tif 000013
【図１１】
0003179818.tif 000014
【図１２】
0003179818.tif 000015
【図１３】
0003179818.tif 000016
【手続補正書】
【提出日】平成24年9月12日(2012.9.12)
【手続補正１】
【補正対象書類名】実用新案登録請求の範囲
【補正対象項目名】全文
【補正方法】変更
【補正の内容】
【実用新案登録請求の範囲】
【請求項１】
薬剤の相互作用の情報を提供する薬カードであって、前記薬カードの所定の位置に前記薬剤の相互作用に関する情報を表現した視覚表現要素を備え、前記視覚表現要素が、任意に抽出した２枚の前記薬カードを全面又は一部を重ね合わせると、一方の前記薬カードの前記視覚表現要素と他方の前記薬カードの前記視覚表現要素との組み合わせが生じる位置に設けられていることを特徴とする薬カード。
【請求項２】
前記視覚表現要素は、記号、図形、文字、絵、数字、色彩、切欠きのいずれか又はこれらの組み合わせからなることを特徴とする請求項１に記載の薬カード。
【請求項３】
前記視覚表現要素は、前記薬カードの側縁部及び／又は端縁部に備えることを特徴とする請求項１又は２に記載の薬カード。
【請求項４】
前記視覚表現要素が前記切欠きであって、前記薬カードにおいて前記切欠きが設けられている位置が、前記相互作用がある薬剤に関する２枚の前記薬カードを重ね合わせたとき、前記切欠き同士が対応付けられる位置であることを特徴とする請求項２又は３に記載の薬カード。
【請求項５】
前記切欠きは、円弧、楔型、角形のいずれか又はこれらの組み合わせからなることを特徴とする請求項４に記載の薬カード。
【請求項６】
前記視覚表現要素は前記図形又は前記記号であって、前記薬カードにおいて前記図形又は前記記号が設けられている位置と方向が、前記相互作用がある薬剤に関する２枚の前記薬カードをずらせて重ね合わせたとき、２枚の前記薬カードに示される前記図形又は前記記号が互いに対向する位置と方向であることを特徴とする請求項２又は３に記載の薬カード。
【請求項７】
前記視覚表現要素は前記文字であって、前記薬カードにおいて前記文字が設けられている位置が、前記相互作用がある薬剤に関する２枚の前記薬カードをずらせて重ね合わせたとき、２枚の前記薬カードに示される前記文字が所定の対応関係を示す位置であることを特徴とする請求項２又は３に記載の薬カード。
【請求項８】
前記文字は漢字であることを特徴とする請求項７に記載の薬カード。
【請求項９】
前記視覚表現要素は前記図形であって、前記図形が、前記相互作用がある薬剤に関する２枚の前記薬カードをずらせて重ね合わせたとき、２枚の前記薬カードに示される２つの前記図形が所定の新たな図形を形成するものであることを特徴とする請求項２又は３に記載の薬カード。
【請求項１０】
前記薬カードは所定の位置に窓部を備え、前記窓部と前記視覚表現要素を設ける位置が、前記相互作用がある薬剤に関する２枚の前記薬カードを重ね合わせると、一方の前記窓部を介して、他方の前記視覚表現要素が現れる位置としたことを特徴とする請求項１ないし３のいずれか１項に記載の薬カード。
【請求項１１】
前記薬カードの少なくとも一部が透明又は半透明であって、２枚の前記薬カードを重ね合わせると、上側の前記薬カードの前記透明又は半透明にかかる箇所に下側の前記薬カードの前記視覚表現要素が位置するように配置されていることを特徴とする請求項１ないし３のいずれか１項に記載の薬カード。
【請求項１２】
前記薬カードの少なくとも一部が透明又は半透明であって、前記視覚表現要素が前記図形であり、前記図形が、前記相互作用がある薬剤に関する２枚の前記薬カードを重ね合わせたとき、２枚の前記薬カードに示される２つの前記図形が所定の新たな図形を形成するものであることを特徴とする請求項１ないし３のいずれか１項に記載の薬カード。
【請求項１３】
前記視覚表現要素が前記色彩の場合において、前記色彩は、前記薬カードの全面又は一部に着色されることを特徴とする請求項２ないし１２のいずれか１項に記載の薬カード。